(57)【要約】  【課題】  本発明はスイッシャー型のルアーにおいて、プロペラの回転により大きな音を発生させることを課題とする。  【解決手段】  スイッシャー型のルアーに装着される２枚以上の羽根を有するプロペラでにおいて、少なくとも１枚の羽根がプロペラの回転面において他の羽根に対して回動可能に動くとともに、回動規制部材により回動角度が規制されるように構成する。なお、回動規制部材は回動可能に動く羽根に設けられても、他の羽根に設けられてもよい。【選択図】  図１
2006115774.tif 000002
【特許請求の範囲】
【請求項１】
ルアーに装着される２枚以上の羽根を有するプロペラであって、
少なくとも１枚の羽根がプロペラの回転面において他の羽根に対して回動可能に動くとともに、回動規制部材により回動角度が規制されるルアー用プロペラ。
【請求項２】
前記回動可能に動く羽根は前記回動規制部材により９０度以内１５度以上の範囲で回動角度を規制される請求項１に記載のルアー用プロペラ。
【請求項３】
前記羽根は２枚であり、それぞれの羽根は、羽根の付け根から羽根の側方に伸びる板状の連結部材と、前記連結部材の端部から回転軸方向に立設される回動規制部材とを有し、互いに回動規制部材がある面に他の羽根が位置するように組み合わされる請求項１又は２に記載のルアー用プロペラ。
【請求項４】
請求項１から３のいずれか１項に記載のルアー用プロペラを有するルアー。
【発明の詳細な説明】
【技術分野】
【０００１】
本発明はプロペラを有するいわゆるスイッシャーと呼ばれるルアーに用いられるプロペラに関する。
【背景技術】
【０００２】
従来、スイッシャーと呼ばれるルアーはプロペラを有することで、ルアーの移動でプロペラが回転しこれにより魚の注意を引くことができる。このプロペラに関して下記特許文献１では、軸穴を長穴にして、軸穴を軸に対してがたつかせることで、プロペラの回転により軸穴と軸が衝突する音を発生させ、これにより魚の注意を引く発明が開示されている。
【特許文献１】特開２００２−６５１１８号公報
【発明の開示】
【発明が解決しようとする課題】
【０００３】
しかし、上記のように軸穴を長穴の形状にしても、プロペラの回動につれて軸は軸穴の外縁に接しながら動くので、プロペラは緩やかに軸を滑ることになり、衝突音はあまり大きくならない。そのため魚の注意を引く効果が小さくなるという問題があった。
そこで、本発明はスイッシャー型のルアーにおいて、プロペラの回転により大きな音を発生させることを課題とする。
【課題を解決するための手段】
【０００４】
上記課題を解決するために、本発明は次のような構成を有する。
請求項１に記載の発明は、ルアーに装着される２枚以上の羽根を有するプロペラであって、少なくとも１枚の羽根がプロペラの回転面において他の羽根に対して回動可能に動くとともに、回動規制部材により回動角度が規制されるルアー用プロペラである。なお、回動規制部材は回動可能に動く羽根に設けられても、他の羽根に設けられてもよい。また、例えば、羽根が２枚の場合は、いずれか一方を回動可能な羽根とし、他方を他の羽根と捉えることができるが、すくなくとも、上記のような関係を満たす回動可能な羽根と他の羽根が存在すれば足りる。
請求項２に記載の発明は、前記ルアー用プロペラにおいて、前記回動可能に動く羽根は前記回動規制部材により９０度以内１５度以上の範囲で回動角度を規制されるものである。
請求項３に記載の発明は、前記ルアー用プロペラにおいて、前記羽根は２枚であり、それぞれの羽根は、羽根の付け根から羽根の側方に伸びる板状の連結部材と、前記連結部材の端部から回転軸方向に立設される回動規制部材とを有し、互いに回動規制部材がある面に他の羽根が位置するように組み合わされる。なお、ここで側方とは羽根の面に沿った羽根の長手方向に対して左右の方向をいう。
請求項４に記載の発明は前記ルアー用プロペラを有するルアーである。
【発明の効果】
【０００５】
請求項１に記載の発明は、回動可能な羽根は、頂点位置より手前において回動可能位置のうち回動方向と逆の限界の回動位置に位置しながら回動する。そして、この回動可能な羽根は頂点を越えると重力によってプロペラの回転方向にプロペラの回転速度よりも早く倒れる。そして、この勢いで他の羽根に設けられた回動規制部材と回動可能な羽根もしくは他の羽根と回動可能な羽根に設けられた回動規制部材とが衝突して音を発生させることになる。このように、間欠的な動作により羽根が倒れる勢いで音を発生させるので軸穴を変形させる場合に比べてより大きな音を発生させることができる。
請求項２に記載の発明は、回動角度を９０度以内１５度以上とすることで、衝突までの距離を適切なものとして効果的に音を発生させることができる。
請求項３に記載の発明は、簡易な構成により上記のようなルアー用プロペラを構成することができ、経済的であり、また、故障も生じにくい。
請求項４に記載の発明は、ルアーに上記のようなプロペラを設けることで、プロペラが大きな音を生じるために魚の注意を引くことができるので、多くの釣果を得ることができる。
【発明を実施するための最良の形態】
【０００６】
以下、本発明の実施形態について、図面を参照しながら説明する。
図１に本実施形態に係るルアー用プロペラＸを有するルアーＹの分解斜視図を示す。このルアーはスイシャーと呼ばれるタイプであり、針１１などがついた本体１０とプロペラＸとからなる。本体１０は一般的なものと変わらないので説明は省略する。
プロペラＸは２枚の水より比重の重い材質であるアルミ製の羽根３０、４０と固定ねじ５０から構成される。羽根３０は、ねじりを加えた板状体である羽根本体３１、羽根本体３１の付け根近傍から側方（図では上方）に伸びる板状の連結部材３２、連結部材３２の端部から回動軸方向に立設される板状の回動規制部材３３、回動規制部材３３の端部からさらに回転軸に向かって伸びる板状の抜け止め部材３４、羽根本体３１の付け根に設けられる軸穴３５、抜け止め部材３４の軸穴３５に相対する位置に設けられる通し穴３６とから構成される。
羽根４０は、ねじりを加えた板状体である羽根本体４１、羽根本体４１の付け根近傍から側方（図では下方）に伸びる板状の連結部材４２、連結部材４２の端部から回動軸方向に立設される板状の回動規制部材４３、回動規制部材４３の端部からさらに回転軸へ向かって伸びる板状の抜け止め部材４４、羽根本体４１の付け根に設けられる軸穴４５、抜け止め部材４４の軸穴４５に相対する位置に設けられる通し穴４６とから構成される。
羽根３０と羽根４０とはほぼ鏡面対象の形状をしているが、羽根本体３１、４１のねじり方向のみが一致している。羽根３０と羽根４０とは、互いに回動規制部材３３、３４がある面に他の羽根本体４１、３１が位置するように組み合わされる。すなわち、羽根３０の羽根本体３１は羽根４０に対して、回動規制部材４３のある面に位置し、羽根４０の羽根本体４１は羽根３０に対して、回動規制部材３３のある面に位置している。
固定ネジ５０は木ねじを先端に有し、後端は針を取り付けるリングを形成している。固定ネジ５０は、組み合わさった状態の羽根３０と羽根４０のそれぞれの軸穴３５、４５、通し穴３６、４６を貫いてルアーＹの本体１０の後尾に木ねじ部分を固定することで、プロペラＸを回転自在にルアーＹに固定している。
【０００７】
次に、以上のような構成を有するプロペラＸの動作について説明する。まず、ルアーＹの使用者がルアーＹを水中に投げ入れてルアーを水中で引いている状態を想定する。例えば、図２（ａ）に示す状態にプロペラＸがあるものとする。図はルアーＹに装着されたプロペラＸを後ろから見た状態を示している。プロペラＸは水流により図の矢印の方向に回転している。プロペラＸの羽根３０はプロペラＸの回転方向の回動は図に示すように羽根４０の回動規制部材３３により規制されている。一方、羽根３０のプロペラＸの回転方向とは逆側の回動は回動規制部材３３が羽根４０の羽根本体４１に当接するまでに規制されることになる。すなわち、羽根３０は羽根４０に対して回動可能に動くとともに、回動規制部材により回動が一定範囲に規制されている。ここでは回動角度の範囲は約８５度である。羽根４０も同様に回動可能に動くとともに、羽根３０により回動を規制されている。
いま、羽根４０に注目すると、羽根４０は頂点に向かって回転しており、回動可能位置のうち回転方向と逆の回動位置の限界に位置している。そして、回転が進み図２（ｂ）のように羽根４０の羽根本体４１が丁度頂点に位置すると、この状態では羽根４０は回転方向には規制がないので少しでも頂点を過ぎると羽根４０は図２（ｃ）に示すように回転方向に倒れることになる。これにより、羽根４０の羽根本体４１は羽根３０の回動規制部材３３に当たるまで回動し、羽根本体４１と回動規制部材３３との衝突により音が発生する。次は羽根３０により同様の動作が行われる。つまり、プロペラＸが回転するごとに羽根本体３１、４１は回動規制部材４３、３３に衝突して音を発生させることになり、これにより魚の注意を引くことができる。
【図面の簡単な説明】
【０００８】
【図１】実施形態に係るルアーの分解斜視図である。
【図２】（ａ）（ｂ）（ｃ）とも、ルアー用プロペラの動作を示す平面図である。
【符号の説明】
【０００９】
Ｘ    ルアー用プロペラ
Ｙ    ルアー
３０、４０  羽根
３１、４１  羽根本体
３２、４２  連結部材
３３、４３  回動規制部材
【図１】
2006115774.tif 000003
【図２】
2006115774.tif 000004